(57)【要約】【課題】  経年劣化や演奏者の好みなどに応じて、鍵カバーを容易に交換することができる鍵盤楽器の鍵を提供する。【解決手段】  前後方向に延びる回動自在の鍵本体２ａと、鍵本体２ａに着脱自在に取り付けられ、鍵本体２ａの上面の前部を覆う鍵カバー１１と、を備えており、鍵カバー１１は、合成樹脂の成形品で構成され、鍵本体２ａの上面前部を覆う上壁１１ａと、鍵本体２ａの左右の側面を覆う左右の側壁１１ｂ、１１ｂと、左右の側壁１１ｂ、１１ｂの下端部から内側に突出し、鍵本体２ａの下面に係合する係合部１１ｃ、１１ｃと、を有している。【選択図】  図２
2008170628.tif 000002
【特許請求の範囲】
【請求項１】
前後方向に延びる回動自在の鍵本体と、
当該鍵本体に着脱自在に取り付けられ、前記鍵本体の上面の前部を覆う鍵カバーと、
を備えていることを特徴とする鍵盤楽器の鍵。
【請求項２】
前記鍵カバーは、下方に開放した中空の合成樹脂の成形品で構成され、
前記鍵本体の上面を覆う上壁と、
前記鍵本体の左右の側面を覆う左右の側壁と、
当該左右の側壁の下端部から内側に突出し、前記鍵本体の下面に係合する係合部と、
を有していることを特徴とする請求項１に記載の鍵盤楽器の鍵。
【請求項３】
前記鍵カバーの前記上壁に、当該上壁を覆う鍵表皮が設けられていることを特徴とする請求項２に記載の鍵盤楽器の鍵。
【発明の詳細な説明】
【技術分野】
【０００１】
本発明は、鍵盤楽器の鍵に関し、特に、鍵本体に取り付けられた鍵カバーに関する。
【背景技術】
【０００２】
従来の鍵盤楽器の鍵として、例えば特許文献１に開示されたものが知られている。この鍵は黒鍵であり、鍵本体（棒状基材）と、その上面前部に取り付けられた鍵カバー（黒鍵本体）を備えている。
【０００３】
鍵本体は、断面方形の木質材で構成され、前後方向に延びており、その上面には、鍵カバーを取り付けるための前後２つのダボ孔が形成されている。鍵カバーは合成樹脂で構成された中空箱形のものであり、下方に開口している。この鍵カバーの左右の側壁の内面には、複数のリブが設けられている。具体的には、左側壁の前部および後部に、前後方向に並設された一対のリブがそれぞれ設けられており、右側壁の前部および後部にも、左側壁のリブに対向するように、各一対のリブが設けられている。
【０００４】
鍵本体と鍵カバーの間には、前後２つのダボ片が設けられている。前側のダボ片の上部は、鍵カバーの一対のリブ間に係合しており、ダボ片の下部は鍵本体のダボ孔に嵌合している。また、後ろ側のダボ片も前側と同様に設けられている。以上により、鍵カバーは、２つのダボ片を介して鍵本体に取り付けられている。
【０００５】
また、一般に、白鍵は、木製の鍵本体、および鍵カバーを有している。鍵カバーは、側面形状がＬ字形の薄い板状のものであり、アクリルやアセチルセルロースなどの合成樹脂、または象牙で構成され、鍵本体の上面の前部および前面に接着されている。
【０００６】
アセチルセルロースや象牙は、吸水性を有しており、演奏時に指先にかいた汗を吸収するので、演奏者は、汗で指を滑らせることなく演奏することができる。しかし、そのような材料で構成された鍵カバーは、経年劣化により次第に黄色に変色し、鍵盤楽器の外観を損なうので、その場合、鍵カバーを交換する必要がある。また、演奏者が押鍵したときの触感は、鍵カバーの材料ごとに異なるため、演奏者の好みに応じて、鍵カバーを交換することが好ましい。
【０００７】
しかし、前述したように、白鍵の鍵カバーは鍵本体に接着されているので、鍵カバーのみの交換作業は非常に煩雑になる。また、前述した従来の黒鍵では、鍵本体から鍵カバーを取り外すことは可能であるものの、鍵カバーが中空で、その内部に設けたリブとダボ片との係合によって、鍵カバーを取り付けているので、この鍵カバーを、薄い板状の白鍵用の鍵カバーとして用いることはできない。
【０００８】
また、白鍵の鍵カバーの材料が象牙の場合には、象牙の輸出入がワシントン条約で禁止されているため、国内向けに生産した鍵盤楽器を海外向けに容易には転用できず、生産・在庫の管理が煩雑になってしまう。
【０００９】
本発明は、上記のような課題を解決するためになされたものであり、経年劣化や演奏者の好みなどに応じて、鍵カバーを容易に交換することができる鍵盤楽器の鍵を提供することを目的としている。
【００１０】
【特許文献１】実開平５−２１２９６号公報
【発明の開示】
【課題を解決するための手段】
【００１１】
上記の目的を達成するために、請求項１に係る発明は、前後方向に延びる回動自在の鍵本体と、鍵本体に着脱自在に取り付けられ、鍵本体の上面の前部を覆う鍵カバーと、を備えていることを特徴とする。
【００１２】
この鍵盤楽器の鍵によれば、演奏者は、鍵本体の前部に取り付けられた鍵カバーを介して、鍵を押すことによって、演奏を行う。本発明では、鍵カバーが鍵本体に着脱自在に取り付けられているので、例えば経年劣化による鍵カバーの変色に応じて、鍵カバーのみを新品のものに交換するだけで、鍵盤楽器の良好な外観を容易に回復させることができる。また、互いに異なる材料で構成された複数の種類の鍵カバーをあらかじめ用意しておくことにより、鍵の触感が演奏者の好みに合わない場合でも、他の材料の鍵カバーに交換するだけで、演奏者の好みの触感を容易に得ることができる。
【００１３】
また、鍵カバーが鍵本体に対して着脱自在であるので、鍵カバーとして象牙を用いて国内向けに生産した鍵盤楽器でも、鍵カバーを取り外し、他の材料で構成した鍵カバーに交換するだけで、海外向けに容易に転用することができ、それにより、生産・在庫の管理を容易にすることができる。
【００１４】
請求項２に係る発明は、請求項１に記載の鍵盤楽器の鍵において、鍵カバーは、下方に開口した中空の合成樹脂の成形品で構成され、鍵本体の上面を覆う上壁と、鍵本体の左右の側面を覆う左右の側壁と、左右の側壁の下端部から内側に突出し、鍵本体の下面に係合する係合部と、を有していることを特徴とする。
【００１５】
この構成によれば、鍵カバーが下方に開口した中空の合成樹脂製の成形品で構成されており、鍵本体の上面および側面が鍵カバーの上壁および左右の側壁でそれぞれ覆われている。また、鍵カバーの各側壁の下端部から内側に突出する係合部が、鍵本体の下面に係合している。したがって、鍵カバーを鍵本体に取り付ける際には、合成樹脂の弾性を利用し、鍵カバーの側壁を左右に押し広げ、係合部を鍵本体に係合させることにより、スナップ嵌めで鍵本体に容易に取り付けることができる。また、これと同様にして、鍵カバーを容易に取り外すことができる。
【００１６】
請求項３に係る発明は、請求項２に記載の鍵盤楽器の鍵において、鍵カバーの上壁に、上壁を覆う鍵表皮が設けられていることを特徴とする。
【００１７】
この構成によれば、鍵カバーの上壁に、これを覆う鍵表皮が設けられているので、離鍵状態においては、ほぼ鍵表皮だけが露出する。また、押鍵の際、演奏者の指が直接、接触するのは鍵表皮だけである。したがって、鍵表皮だけを所望の材料で構成すればよく、象牙のような希少な材料を鍵表皮に用いる場合、鍵カバー全体を象牙で構成する場合と比較して、材料を大幅に節約でき、製造コストを抑制することができる。また、鍵表皮は鍵カバーの上壁に設けられているので、鍵本体に対する鍵カバーの着脱性を維持することができる。
【発明を実施するための最良の形態】
【００１８】
以下、図面を参照しながら、本発明の好ましい実施形態について詳細に説明する。図１は、本発明の一実施形態によるグランドピアノの鍵盤１を部分的に示している。以下の説明では、演奏者側から見たときのピアノの手前側を「前」、奥側を「後」として説明する。
【００１９】
鍵盤１は、複数の白鍵２（鍵）および黒鍵３（鍵）（それぞれ１つのみ図示）で構成されている。各白鍵２は、鍵本体２ａと、その前部に取り付けられた白鍵カバー１１（鍵カバー）などを備えており、演奏者が白鍵カバー１１を介して白鍵２を押すことによって、演奏が行われる。鍵本体２ａは、例えばスプルスなどの木質材で構成され、断面矩形に形成されており、前後方向に延びている。また、鍵本体２ａの前端部の幅は、その後ろ側の部分よりも広くなっており、鍵本体２ａの前面には、合成樹脂製の前壁２ｂが貼り付けられている。また、各黒鍵３は、白鍵２の鍵本体２ａよりも短い鍵本体３ａと、その前部に取り付けられた黒鍵カバー２１（鍵カバー）などを備えている。
【００２０】
白鍵２および黒鍵３は、互いにほぼ同じ構成を有するので、以下、これらを代表し、白鍵２を中心として説明する。白鍵２の鍵本体２ａの上面中央には中座板４が貼り付けられており、鍵本体２ａから中座板４にわたって、上下方向に貫通するバランスピン孔２ｃが形成されている。一方、鍵盤１の下側には筬６が設けられている。この筬６は、前側から順に筬前６ａ、筬中６ｂおよび筬後６ｃで構成されており、これらは左右方向に延びている。
【００２１】
筬中６ｂには、バランスピン６ｄが鍵ごとに立設されており（２つのみ図示）、白鍵２は、そのバランスピン孔２ｃがバランスピン６ｄに係合した状態で、筬中６ｂに回動自在に支持されている。また、筬前６ａには、フロントピン（図示せず）が鍵ごとに立設されており、このフロントピンに、鍵本体２ａの前端部に形成されたフロントピン穴（図示せず）が係合している。また、離鍵状態において、鍵本体２ａの後端部が、筬後６ｃの上面に貼り付けられた鍵盤枕６ｆに着座している。
【００２２】
鍵本体２ａの中座板４よりも後ろ側の部分は、他の部分よりも低くなっており、その上面には、後ろ側から順に、トップフェルト５、バックチェック座板７およびキャプスタン座板８が設けられている。バックチェック座板７には、バックチェックワイヤ９ａを介してバックチェック９が取り付けられている。また、キャプスタン座板７には、キャプスタンスクリュー１０がねじ込まれており、このキャプスタンスクリュー１０に、アクションのウィッペン（図示せず）が載置されている。
【００２３】
黒鍵３もまた、その中央のバランスピン孔３ｃがバランスピン６ｄに係合した状態で、筬中６ｂに回動自在に支持されている。また、鍵本体３ａの上面後部には、バックチェック９やキャプスタンスクリュー１０などが、白鍵２と同様に設けられている。
【００２４】
白鍵２の鍵本体２ａに取り付けられた白鍵カバー１１は、アクリルやアセチルセルロースなどの合成樹脂の成形品で構成されており、図２に示すように、上壁１１ａ、左右の側壁１１ｂ、１１ｂおよび左右の係合部１１ｃ、１１ｃなどを有し、下方に開口する中空状に形成されている。上壁１１ａの形状およびサイズは、鍵本体２ａの前部とほぼ同じに構成されており、したがって、上壁１１ａは、前側の幅広部と、その後ろ側の幅狭部で構成されている。左右の側壁１１ｂ、１１ｂは、上壁１１ａの幅広部の左右の端部から垂直下方に延びている。また、係合部１１ｃは、各側壁１１ｂの下端部から内方に突出している。
【００２５】
また、上壁１１ａには、幅広部の後端部と幅狭部の中央に、下方に突出する前後２つの凸部１１ｄ，１１ｄが設けられており（１つのみ図示）、鍵本体２ａの上面前部の所定の位置には、前後２つの穴２ｄ、２ｄが、凸部１１ｄ、１１ｄに対応するように形成されている。図３に示すように、凸部１１ｄ、１１ｄは鍵本体２ａの穴２ｄ、２ｄに嵌合しており、それにより、白鍵カバー１１は、鍵本体２ａに対して位置決めされる。また、白鍵カバー１１の上壁１１ａの幅広部および側壁１１ｂ、１１ｂが、鍵本体２ａの前端部の上面および両側面を、それぞれ覆うとともに、幅狭部が鍵本体２ａの上面を覆っている。また、左右の係合部１１ｃ、１１ｃは、鍵本体２ａの下面に係合している。
【００２６】
以上の構成により、白鍵カバー１１は、鍵本体２ａに対して着脱自在であり、鍵本体２ａに取り付ける際には、その側壁１１ｂ、１１ｂを左右に押し広げ、係合部１１ｃ、１１ｃを鍵本体２ａに係合させることにより、スナップ嵌めで鍵本体２ａに容易に取り付けることができる。また、これと同様にして、白鍵カバー１１を容易に取り外すことができる。
【００２７】
一方、黒鍵カバー２１は、白鍵カバー１１と同様、アクリルまたはアセチルセルロースなどの合成樹脂の成形品で構成されており、図４に示すように、カバー本体２１ａ、左右の側壁２１ｂ、２１ｂおよび左右の係合部２１ｃ、２１ｃ（１つのみ図示）などを有している。カバー本体２１ａは中空箱形のものであり、下方に開放している。左右の側壁２１ｂ、２１ｂは、カバー本体２１ａの前後方向の中央に設けられており、その左右の側部から下方に延びている。また、係合部２１ｃは、各側壁２１ｂの下端部から内方に突出している。また、カバー本体２１ａの前部および後部には、その上壁から下方に突出する凸部２１ｄ、２１ｄが設けられている。
【００２８】
一方、黒鍵３の鍵本体３ａの前端部には、黒鍵カバー２１の左右の側壁２１ｂ、２１ｂに対応するように、上下方向にわたって延びる左右２つの切欠き３ｂ、３ｂが形成されており、切欠き３ｂ、３ｂの前後には、黒鍵カバー２１の凸部２１ｄ、２１ｄに対応する前後２つの穴３ｄ、３ｄが形成されている。黒鍵カバー２１の凸部２１ｄは、鍵本体３ａの穴３ｄに嵌合しており、それにより、黒鍵カバー２１は、鍵本体３ａに対して位置決めされた状態で、側壁２１ｂ、２１ｂを利用したスナップ嵌めによって、鍵本体３ａに取り付けられている。この状態では、鍵本体３ａの上面前部はカバー本体２１ａで覆われており、また、側壁２１ｂおよび係合部２１ｃは、鍵本体３ａの切欠き３ｂおよび下面にそれぞれ係合している。以上の構成により、黒鍵カバー２１は、白鍵カバー１１と同様、鍵本体３ａに対して着脱自在に取り付けられている。
【００２９】
以上のように、本実施形態の白鍵２によれば、白鍵カバー１１が鍵本体２ａに着脱自在に取り付けられているので、例えば経年劣化による白鍵カバー１１の変色に応じて、白鍵カバー１１のみを新品のものに交換するだけで、ピアノの良好な外観を容易に回復させることができる。また、互いに異なる材料で構成された複数の種類の白鍵カバー１１をあらかじめ用意しておくことにより、白鍵２の触感が演奏者の好みに合わない場合でも、他の材料で構成された白鍵カバー１１に交換するだけで、演奏者の好みの触感を容易に得ることができる。また、黒鍵カバー２１もまた、鍵本体３ａに対して着脱自在であるので、黒鍵３についても白鍵２と同様の効果を得ることができる。
【００３０】
図５は、白鍵カバーの変形例を示している。この白鍵カバー１２（鍵カバー）は、前述した白鍵カバー１１の上壁１１ａに、鍵表皮１３をさらに接着したものである。鍵表皮１３は、アクリルやアセチルセルロースなどの合成樹脂や、象牙などから薄板状に形成されており、上壁１１ａのほぼ全面を覆っている。
【００３１】
この変形例によれば、離鍵状態においては、ほぼ鍵表皮１３だけが露出する。また、押鍵の際、演奏者の指が直接、接触するのは鍵表皮１３だけである。したがって、鍵表皮１３だけを所望の材料で構成すればよく、象牙のような希少な材料を鍵表皮１３に用いる場合、白鍵カバー全体を象牙で構成する場合と比較して、材料を大幅に節約でき、製造コストを抑制することができる。また、鍵表皮１３は鍵カバー１１の上壁１１ａに貼り付けられているので、鍵本体２ａに対する鍵カバー１２の着脱性を維持することができる。
【００３２】
また、白鍵カバー１２が鍵本体２ａに対して着脱自在であるので、鍵表皮１３として象牙を用いて国内向けに生産したピアノでも、白鍵カバー１２を取り外し、鍵表皮１３として象牙以外の材料を用いた白鍵カバーに交換するだけで、海外向けに容易に転用でき、それにより、生産・在庫の管理を容易にすることができる。
【００３３】
なお、本発明は、上述した実施形態に限定されることなく、種々の態様で実施することができる。例えば、実施形態の鍵カバーを、着色した鍵カバーに交換したり、透明な材料で構成した鍵カバーに交換するとともに鍵本体に発光体を取り付けたりすることによって、意匠性の多様化を容易に図ることができる。また、例えば、透明な鍵カバーを用いるとともに、鍵本体の上面に音階などを表示することによって、音楽の教材として利用することも可能である。
【００３４】
さらに、実施形態は、本発明をグランドピアノの鍵に適用した例であるが、これに限定されることなく、アップライトピアノの鍵や、他の鍵盤楽器の鍵に適用してもよい。その他、細部の構成を、本発明の趣旨の範囲内で適宜、変更することが可能である。
【図面の簡単な説明】
【００３５】
【図１】本発明の一実施形態による鍵を用いたグランドピアノの鍵盤を示す斜視図である。
【図２】図１の白鍵の前部を、白鍵カバーを取り外した状態で示す斜視図である。
【図３】図１の線Ａ−Ａに沿う白鍵の断面図である。
【図４】図１の黒鍵の前部を、黒鍵カバーを取り外した状態で示す斜視図である。
【図５】白鍵カバーの変形例を示す斜視図である。
【符号の説明】
【００３６】
２    白鍵（鍵）
２ａ  鍵本体
３    黒鍵（鍵）
３ａ  鍵本体
１１    白鍵カバー（鍵カバー）
１２    白鍵カバー（鍵カバー）
１３    鍵表皮
２１    黒鍵カバー（鍵カバー）
【図１】
2008170628.tif 000003
【図２】
2008170628.tif 000004
【図３】
2008170628.tif 000005
【図４】
2008170628.tif 000006
【図５】
2008170628.tif 000007